(57)【要約】【課題】周囲環境の変化に依存せず、簡単なハードウェア構成で、実運用時に受信回路の診断を行うことが可能な基地局を提供する。【解決手段】周波数及び信号レベルの異なる２つのローカル信号を用いて受信ＲＦ信号の周波数変換を行うことで、２つのＩＦ信号を含む受信ＩＦ信号を生成する受信回路と、前記受信ＩＦ信号を用いて通常の受信処理及び前記受信回路の診断を行う制御回路と、を基地局に備える。【選択図】図１
2011109503.tif 000002
【特許請求の範囲】
【請求項１】
周波数及び信号レベルの異なる２つのローカル信号を用いて受信ＲＦ信号の周波数変換を行うことで、２つのＩＦ信号を含む受信ＩＦ信号を生成する受信回路と、
前記受信ＩＦ信号を用いて通常の受信処理及び前記受信回路の診断を行う制御回路と、
を備えることを特徴とする基地局。
【請求項２】
前記受信回路は、
第１周波数の実運用ローカル信号を生成する実運用ローカル信号源と、
第２周波数の診断用ローカル信号を生成する診断用ローカル信号源と、
前記診断用ローカル信号の信号レベルを調整するレベル調整器と、
前記実運用ローカル信号と信号レベル調整後の前記診断用ローカル信号との合成ローカル信号を生成する信号合成器と、
前記合成ローカル信号を用いて受信ＲＦ信号の周波数変換を行うことで、前記実運用ローカル信号に対応する実運用ＩＦ信号及び前記診断用ローカル信号に対応する診断用ＩＦ信号を含む受信ＩＦ信号を生成する周波数変換器と、
を備えることを特徴とする請求項１記載の基地局。
【請求項３】
前記制御回路は、前記実運用ＩＦ信号を用いて通常の受信処理を行う一方、前記実運用ＩＦ信号及び診断用ＩＦ信号の電波強度を算出し、両信号の信号レベル差と電波強度差との関係に基づいて前記受信回路の診断を行うことを特徴とする請求項２記載の基地局。
【請求項４】
前記制御回路は、前記実運用ＩＦ信号の帯域と前記診断用ＩＦ信号の帯域とが重なる領域において信号干渉が発生する周波数成分が存在する場合、前記受信ＲＦ信号に含まれる前記周波数成分の周波数軸上の配置変更、または前記診断用ローカル信号の周波数変更の少なくとも一方を実施することで、前記信号干渉の発生を回避することを特徴とする請求項２または３に記載の基地局。
【請求項５】
前記制御回路は、前記診断用ＩＦ信号の信号品質を算出し、当該信号品質と前記診断用ＩＦ信号の信号レベルとの関係が所望の関係を満足しない場合に、前記受信回路の診断を行うことを特徴とする請求項２〜４のいずれか一項に記載の基地局。
【請求項６】
周波数及び信号レベルの異なる２つのローカル信号を用いて受信ＲＦ信号の周波数変換を行うことで、２つのＩＦ信号を含む受信ＩＦ信号を生成する受信回路と、
前記受信ＩＦ信号を用いて通常の受信処理及び前記受信回路の診断を行う制御回路と、
を備えることを特徴とする受信装置。
【発明の詳細な説明】
【技術分野】
【０００１】
本発明は、基地局及び受信装置に関する。
【背景技術】
【０００２】
従来、基地局の受信回路を診断する方法として、図１１に示すように、基地局内部に診断用の擬似端末を設け、この擬似端末から受信回路へ診断用の信号を入力する方法や、ノイズフロアのＲＳＳＩ(Receive Signal Strength Indicator)を確認する方法などが用いられている。例えば、下記特許文献１には、基地局内部に基地局試験機を設け、この基地局試験機から試験用の信号をＲＦ受信経路に入力することで、ＲＦ受信経路の異常を検出する技術が開示されている。
【先行技術文献】
【特許文献】
【０００３】
【特許文献１】特開平１１−１５４９０３号公報
【発明の概要】
【発明が解決しようとする課題】
【０００４】
上記のように、基地局内部に診断用の擬似端末或いは基地局試験機を設ける方法では、回路規模の増大により装置サイズの大型化及びコストの増加を招き、また、実運用時には診断を行うことができないという問題がある。一方、ノイズフロアのＲＳＳＩを確認する方法では、基地局の周囲環境（干渉波など）の変化によりノイズフロアが大きく変わるため、正確な診断を行うことができないという問題がある。
【０００５】
本発明は、上述した事情に鑑みてなされたものであり、周囲環境の変化に依存せず、簡単なハードウェア構成で、実運用時に受信回路の診断を行うことが可能な基地局及び受信装置を提供することを目的とする。
【課題を解決するための手段】
【０００６】
上記目的を達成するために、本発明に係る基地局は、周波数及び信号レベルの異なる２つのローカル信号を用いて受信ＲＦ信号の周波数変換を行うことで、２つのＩＦ信号を含む受信ＩＦ信号を生成する受信回路と、前記受信ＩＦ信号を用いて通常の受信処理及び前記受信回路の診断を行う制御回路と、を備えることを特徴とする。
【０００７】
また、本発明に係る基地局において、前記受信回路は、第１周波数の実運用ローカル信号を生成する実運用ローカル信号源と、第２周波数の診断用ローカル信号を生成する診断用ローカル信号源と、前記診断用ローカル信号の信号レベルを調整するレベル調整器と、前記実運用ローカル信号と信号レベル調整後の前記診断用ローカル信号との合成ローカル信号を生成する信号合成器と、前記合成ローカル信号を用いて受信ＲＦ信号の周波数変換を行うことで、前記実運用ローカル信号に対応する実運用ＩＦ信号及び前記診断用ローカル信号に対応する診断用ＩＦ信号を含む受信ＩＦ信号を生成する周波数変換器と、を備えることを特徴とする。
【０００８】
また、本発明に係る基地局において、前記制御回路は、前記実運用ＩＦ信号を用いて通常の受信処理を行う一方、前記実運用ＩＦ信号及び診断用ＩＦ信号の電波強度を算出し、両信号の信号レベル差と電波強度差との関係に基づいて前記受信回路の診断を行うことを特徴とする。
【０００９】
また、本発明に係る基地局において、前記制御回路は、前記実運用ＩＦ信号の帯域と前記診断用ＩＦ信号の帯域とが重なる領域において信号干渉が発生する周波数成分が存在する場合、前記受信ＲＦ信号に含まれる前記周波数成分の周波数軸上の配置変更、または前記診断用ローカル信号の周波数変更の少なくとも一方を実施することで、前記信号干渉の発生を回避することを特徴とする。
【００１０】
さらに、本発明に係る基地局において、前記制御回路は、前記診断用ＩＦ信号の信号品質を算出し、当該信号品質と前記診断用ＩＦ信号の信号レベルとの関係が所望の関係を満足しない場合に、前記受信回路の診断を行うことを特徴とする。
【００１１】
一方、本発明に係る受信装置は、周波数及び信号レベルの異なる２つのローカル信号を用いて受信ＲＦ信号の周波数変換を行うことで、２つのＩＦ信号を含む受信ＩＦ信号を生成する受信回路と、前記受信ＩＦ信号を用いて通常の受信処理及び前記受信回路の診断を行う制御回路と、を備えることを特徴とする。
【発明の効果】
【００１２】
本発明に係る基地局及び受信装置によれば、周波数及び信号レベルの異なる２つの局部信号を用いて受信ＲＦ信号を周波数変換することで得られる受信ＩＦ信号を用いて、通常の受信処理及び受信回路の診断を行うため、受信回路には周波数及び信号レベルの異なる２つの局部信号を生成可能な電子回路を設けるだけで良い。つまり、既存の受信回路には、当初から必ず１つの局部信号を生成する局部信号源が設けられているため、少なくともその局部信号とは周波数及び信号レベルの異なるもう１つの局部信号を生成するような電子回路を設けるだけで良い。従って、本発明に係る基地局及び受信装置によれば、干渉波等の周囲環境の変化に依存せず、受信ダイナミックレンジを確認でき、簡単なハードウェア構成で、実運用時に受信回路の診断を行うことが可能となる。
【図面の簡単な説明】
【００１３】
【図１】本発明の一実施形態に係る基地局ＢＳのブロック構成図である。
【図２】第１ＢＰＦ２１によって帯域制限された受信信号の周波数特性図である。
【図３】実運用ローカル信号と信号レベル調整後の診断用ローカル信号の周波数特性図である。
【図４】第２ＢＰＦ２８によって帯域制限された合成ＩＦ信号の周波数特性図である。
【図５】制御回路３の受信動作を表すフローチャートである。
【図６】制御回路３が実施する受信回路２の診断処理に関する説明図である。
【図７】制御回路３が実施する受信回路２の診断処理の変形例に関する説明図である。
【図８】実運用ＩＦ信号の帯域と診断用ＩＦ信号の帯域とが重なる領域において信号干渉が発生する様子を表す図である。
【図９】実運用ＩＦ信号の帯域と診断用ＩＦ信号の帯域とが重なる領域において信号干渉の発生を回避する方法を表す図である。
【図１０】信号干渉の発生を回避するための、制御回路３の受信動作を表すフローチャートである。
【図１１】従来の基地局内部に診断用の擬似端末を設ける構成を示す図である。
【発明を実施するための形態】
【００１４】
以下、本発明の一実施形態について、図面を参照しながら説明する。なお、以下では、本発明に関係する基地局として、次世代高速通信規格であるＬＴＥ（Long Term Evolution）を採用した無線通信システム（以下、ＬＴＥシステムと称す）の基地局を想定している。
【００１５】
ＬＴＥシステムとは、ダウンリンク通信に直交周波数分割多元接続（ＯＦＤＭＡ：Orthogonal Frequency Division Multiple Access）を、アップリンク通信にシングルキャリア周波数分割多元接続（ＳＣ−ＦＤＭＡ：Single Carrier Frequency Division Multiple Access）を用い、ユーザ端末に対してＲＢ（Resource Block）単位で無線リソースの割り当てを行うものである。ここで、ＲＢとは、１２サブキャリア分の帯域幅（＝１８０ｋＨｚ）と７シンボル分の時間幅（＝１スロット長０．５ｍｓ）で構成された、無線リソースの最小割当単位である。
【００１６】
図１は、本実施形態における基地局ＢＳのブロック構成図である。この図１に示すように、基地局ＢＳは、アンテナ１、受信回路２及び制御回路３を備えている。なお、基地局ＢＳは、当然、送信回路も備えているが、図１では省略している。
【００１７】
また、受信回路２は、第１ＢＰＦ（Band Pass Filter）２１、第１アンプ２２、実運用ローカル信号発振器２３（実運用ローカル信号源）、診断用ローカル信号発振器２４（診断用ローカル信号源）、アッテネータ２５（レベル調整器）、コンバイナ２６（信号合成器）、ミキサ２７（周波数変換器）、第２ＢＰＦ２８、第２アンプ２９及びＡ／Ｄコンバータ３０を備えている。
【００１８】
第１ＢＰＦ２１は、アンテナ１から入力される受信ＲＦ信号の周波数帯域を、ＬＴＥシステムで規定されている受信帯域に制限し（換言すれば、受信帯域以外の不要帯域成分を除去し）、帯域制限後の受信ＲＦ信号を第１アンプ２２に出力する。第１アンプ２２は、第１ＢＰＦ２１によって帯域制限された受信ＲＦ信号の電力増幅を行い、電力増幅後の受信ＲＦ信号をミキサ２７に出力する。
【００１９】
図２は、第１ＢＰＦ２１によって受信帯域（帯域幅Ｆｂｗ）に制限された受信ＲＦ信号の周波数特性図である。上述したように、ＬＴＥシステムではユーザ端末に対してＲＢ単位で無線リソースの割り当てが行われており、受信帯域内には使用ＲＢ（ユーザ端末との通信に使用中のＲＢ）と空きＲＢ（未使用のＲＢ）とが含まれている。
【００２０】
実運用ローカル信号発振器２３は、第１周波数Ｆ１の実運用ローカル信号を生成してコンバイナ２６に出力する。診断用ローカル信号発振器２４は、第２周波数Ｆ２の診断用ローカル信号を生成してアッテネータ２５に出力する。アッテネータ２５は、制御回路３の指示により、診断用ローカル信号の信号レベルを実運用ローカル信号より低い値に調整し、レベル調整後の診断用ローカル信号をコンバイナ２６に出力する。
【００２１】
図３は、実運用ローカル信号と信号レベル調整後の診断用ローカル信号の周波数特性図である。この図３に示すように、診断用ローカル信号の周波数Ｆ２は、実運用ローカル信号との周波数差（Ｆ２−Ｆ１）が受信帯域Ｆｂｗの１／２になるように設定されている（つまり、Ｆ２＝Ｆ１＋Ｆｂｗ／２）。また、診断用ローカル信号の信号レベルは、実運用ローカル信号の信号レベルよりも２０〜３０ｄＢ程低く設定されている。
【００２２】
コンバイナ２６は、実運用ローカル信号発振器２３から入力される実運用ローカル信号と、アッテネータ２５から入力されるレベル調整後の診断用ローカル信号とを合成（加算）し、当該合成後に得られる合成ローカル信号をミキサ２７に出力する。ミキサ２７は、第１アンプ２２から入力される受信ＲＦ信号と、コンバイナ２６から入力される合成ローカル信号とを乗算することで、周波数Ｆ１のＩＦ信号（実運用ＩＦ信号）と周波数Ｆ２のＩＦ信号（診断用ＩＦ信号）とを含む受信ＩＦ信号を生成し、当該受信ＩＦ信号を第２ＢＰＦ２８に出力する。
【００２３】
第２ＢＰＦ２８は、ミキサ２７から入力される受信ＩＦ信号の周波数帯域を受信帯域に制限し（換言すれば、ミキシングによって発生する受信帯域以外の不要帯域成分を除去し）、帯域制限後の受信ＩＦ信号を第２アンプ２９に出力する。第２アンプ２９は、第２ＢＰＦ２８によって帯域制限された受信ＩＦ信号の電力増幅を行い、電力増幅後の受信ＩＦ信号をＡ／Ｄコンバータ３０に出力する。Ａ／Ｄコンバータ３０は、第２アンプ２９から入力される電力増幅後の受信ＩＦ信号のデジタル変換を行い、デジタル変換後の受信ＩＦ信号を制御回路３に出力する。
【００２４】
図４は、第２ＢＰＦ２８によって帯域制限された受信ＩＦ信号の周波数特性図である。この図４に示すように、帯域制限後の受信ＩＦ信号には、実際の受信処理に使用する実運用ＩＦ信号と、その実運用ＩＦ信号に対して信号レベルが２０〜３０ｄＢ程低く、且つ周波数軸上のＦｂｗ／２ずれた位置に生成された診断用ＩＦ信号とが含まれている。つまり、診断用ＩＦ信号とは、謂わば、実際の受信処理に使用する実運用ＩＦ信号のコピー信号であり、信号レベルと周波数軸上の位置が異なるだけで、同じ信号成分（情報）を保有している。
【００２５】
このように、受信帯域Ｆｂｗ内に実運用ＩＦ信号と、そのコピー信号である診断用ＩＦ信号の両方が含まれるように、診断用ローカル信号の周波数Ｆ２を設定すれば良く、必ずしもＦ２＝Ｆ１＋Ｆｂｗ／２とする必要はない。また、診断用ローカル信号の信号レベルも、実運用ＩＦ信号と診断用ＩＦ信号との間に一定のレベル差が生じるように設定すれば良い（但し、受信感度点を下回らないように設定する必要がある）。
【００２６】
制御回路３は、上述した受信回路２（詳細にはＡ／Ｄコンバータ３０）から入力されるデジタル変換後の受信ＩＦ信号を用いて通常の受信処理を行うと共に、受信回路２の診断を行う。具体的には、制御回路３は、通常の受信処理として、受信ＩＦ信号の復調を行うことで、受信ＩＦ信号の使用ＲＢに含まれていた情報（２進数のビットデータ）を抽出し、その情報を送信先へ送信する。なお、この受信処理は従来と同様であるため、詳細な説明は省略する。また、制御回路３は、受信回路２の診断処理として、受信ＩＦ信号に含まれる実運用ＩＦ信号と診断用ＩＦ信号の電波強度（ＲＳＳＩ）を算出し、両信号のレベル差と電波強度差との関係に基づいて受信回路２の診断を行う。
【００２７】
次に、上記のように構成された基地局ＢＳの動作、特に制御回路３の受信動作について説明する。図５は、制御回路３の受信動作を表すフローチャートである。この図５に示すように、制御回路３は、まず、ユーザ端末から受信ＲＦ信号を検知したか否かを判定し（ステップＳ１）、「Ｙｅｓ」であれば、実運用ローカル信号発振器２３及び診断用ローカル信号発振器２４を制御して、周波数Ｆ１の実運用ローカル信号と周波数Ｆ２の診断用ローカル信号を生成させる（ステップＳ２）。
【００２８】
診断用ローカル信号はアッテネータ２５によってレベル調整された後、コンバイナ２６によって実運用ローカル信号と合成され、合成ローカル信号が生成される。アンテナ１を介して受信回路２に入力された受信ＲＦ信号は、第１ＢＰＦ２１及び第１アンプ２２を経由した後、ミキサ２７によって合成ローカル信号を用いて周波数変換（ダウンコンバート）され、その結果、実運用ＩＦ信号と、そのコピー信号である診断用ＩＦ信号の両方が含まれる受信ＩＦ信号に変換される。受信ＩＦ信号は第２ＢＰＦ２８及び第２アンプ２９を経て受信帯域Ｆｂｗに制限された後（図４参照）、Ａ／Ｄコンバータ３０を経てデジタル信号化されて制御回路３に入力される。
【００２９】
そして、制御回路３は、受信ＩＦ信号に含まれる実運用ＩＦ信号と診断用ＩＦ信号の電波強度（ＲＳＳＩ）を算出し、両信号のレベル差と電波強度差との関係に基づいて受信回路２の診断を行う（ステップＳ３）。図６（ａ）は、受信回路２が正常時である場合の、両信号のレベル差と電波強度差との関係を表し、図６（ｂ）は、受信回路２が故障時である場合の、両信号のレベル差と電波強度差との関係を表したものである。
【００３０】
図６（ａ）に示すように、受信回路２が正常の場合、受信ダイナミックレンジは線形性を維持しているため、両信号のレベル差に比例した電波強度差が検出される。つまり、制御回路３は、両信号のレベル差に比例した電波強度差が検出された場合、受信回路２が正常であると判断する。一方、図６（ｂ）に示すように、受信回路２が故障している場合、受信ダイナミックレンジの線形性が崩れ、非線形領域が使用されるようになるため、両信号のレベル差に比例しない電波強度差が検出される。つまり、制御回路３は、両信号のレベル差に比例しない電波強度差が検出された場合、受信回路２が故障していると判断する。
【００３１】
以上説明したように、本実施形態の基地局ＢＳによれば、周波数及び信号レベルの異なる２つのローカル信号を用いて受信ＲＦ信号を周波数変換することで得られる受信ＩＦ信号を用いて、通常の受信処理及び受信回路２の診断を行うため、受信回路２には周波数及び信号レベルの異なる２つのローカル信号を生成可能な電子回路を設けるだけで良い。
【００３２】
つまり、受信回路２には、当初から必ず１つのローカル信号（実運用ローカル信号）を生成するローカル信号源（実運用ローカル信号発振器２３）が設けられているため、少なくともその実運用ローカル信号とは周波数及び信号レベルの異なるもう１つのローカル信号（診断用ローカル信号）を生成するような電子回路（診断用ローカル信号発振器２４、アッテネータ２５）を設けるだけで良い。従って、本実施形態の基地局ＢＳによれば、干渉波等の周囲環境の変化に依存せず、受信ダイナミックレンジを確認でき、簡単なハードウェア構成で、実運用時に受信回路２の診断を行うことが可能となる。
【００３３】
なお、本発明は上記実施形態に限定されず、以下のような変形例が挙げられる。
（１）図７は、信号品質として算出したＦＥＲ（Frame Error Rate）と、信号レベルとの関係を表す特性図である。この図７に示すように、アッテネータ２５で診断用ＩＦ信号のレベルを受信感度点（図７では、１Ｅ−２に対応するレベル）まで下げ、受信回路２が正常ならば、図中の「Ａ」のＦＥＲ値になっていると想定されるが、「Ｂ」のＦＥＲ値になっていれば、受信回路２のいずれかの部品でゲイン低下が想定されるため、故障の可能性が疑われる。なお、ここで故障と判断するようにしても良い。
【００３４】
よって、診断用ＩＦ信号の信号品質を算出し、当該信号品質と信号レベルの関係が所望の関係を満足しない場合に（換言すれば、受信回路２の故障が疑われる場合に）、図５または後述の図１０のフローチャートを用いて、信号レベル差と電波強度差の関係に基づく受信回路２の診断を行う機能を制御回路３に設けても良い。なお、この場合に算出する信号品質はＦＥＲに限らず、ＢＥＲ（Bit Error Rate）やＳＩＮＲ（Signal to Interference and Noise Power Ratio）、スループット等でも良い。
【００３５】
（２）上記実施形態では、図４に示したように、実運用ＩＦ信号の帯域と診断用ＩＦ信号の帯域とが重なる領域において信号干渉が発生するＲＢ（周波数成分）が存在しない場合を例示したが、実際のＬＴＥシステムでは、図８（ａ）に示すように、受信ＲＦ信号内に複数の使用ＲＢが存在する場合がほとんどである。この場合、図８（ｂ）に示すように、ダウンコンバート後に得られる実運用ＩＦ信号の帯域と診断用ＩＦ信号の帯域とが重なる領域において信号干渉が発生することになる。
【００３６】
このように、受信帯域内に信号干渉が発生すると、実運用時に正確な受信回路２の診断を行えなくなる虞がある。そこで、実運用ＩＦ信号の帯域と診断用ＩＦ信号の帯域とが重なる領域において信号干渉が発生する場合、受信ＲＦ信号に含まれるＲＢの周波数軸上の配置変更、または診断用ローカル信号の周波数変更の少なくとも一方を実施することで、信号干渉の発生を回避する機能を制御回路３に設けることが望ましい。
【００３７】
具体例としては、図９（ａ）に示すように、診断時に比較対象とする受信ＲＦ信号の帯域の内、４ＲＢ分の帯域端を基準入力信号（Ｆｒｂ）として設定し、反対の４ＲＢ分の帯域端を診断用ローカル信号として設定する。このような受信ＲＦ信号の帯域を設定した構成で、制御回路３は、診断用ローカル信号の帯域端に実運用ローカル信号が使用される場合、この帯域端が空きとなるようにＲＢの配置変更を行う。上述では、診断用ローカル信号は、基準入力信号の反対の帯域端としているが、空いている４ＲＢ分の帯域に変更されても良い。これにより、図９（ｂ）に示すように、受信ＲＦ信号のダウンコンバート後に得られる実運用ＩＦ信号の帯域と診断用ＩＦ信号の帯域とが重なる領域において信号干渉が生じないように、ＲＢの配置が行われることになり、実運用時において正確に受信回路２の診断を行うことができるようになる。
【００３８】
図１０は、上記のような信号干渉回避機能を備えた制御回路３の受信動作を表すフローチャートである。この図１０に示すように、図５のフローチャートと異なる点は、ステップＳ１とＳ２との間に、信号干渉が発生するか否かを判断するステップＳ１ａと、このステップＳ１ａにおいて「Ｙｅｓ」と判断された場合に、上述したように、受信ＲＦ信号のＲＢの配置変更及び診断用ローカル信号の周波数変更を行うステップＳ１ｂとが追加された点である。なお、必ずしもＲＢの配置変更及び診断用ローカル信号の周波数変更の両方を実施する必要はなく、いずれか一方を実施することで信号干渉を回避可能である場合には、その一方だけを実施するようにしても良い。
【００３９】
（３）上記実施形態では、本発明に関係する基地局として、ＬＴＥシステムの基地局ＢＳを例示して説明したが、これ限らず、ＷｉＭＡＸ等、マルチキャリア通信を採用した他の通信規格を用いる試験装置、測定装置、基地局を含む受信装置であれば、本発明を適用することが可能である。
【符号の説明】
【００４０】
ＢＳ…基地局、１…アンテナ、２…受信回路、３…制御回路、２１…第１ＢＰＦ（Band Pass Filter）、２２…第１アンプ、２３…実運用ローカル信号発振器（実運用ローカル信号源）、２４…診断用ローカル信号発振器（診断用ローカル信号源）、２５…アッテネータ（レベル調整器）、２６…コンバイナ（信号合成器）、２７…ミキサ２７（周波数変換器）、２８…第２ＢＰＦ、２９…第２アンプ、３０…Ａ／Ｄコンバータ
【図１】
2011109503.tif 000003
【図２】
2011109503.tif 000004
【図３】
2011109503.tif 000005
【図４】
2011109503.tif 000006
【図５】
2011109503.tif 000007
【図６】
2011109503.tif 000008
【図７】
2011109503.tif 000009
【図８】
2011109503.tif 000010
【図９】
2011109503.tif 000011
【図１０】
2011109503.tif 000012
【図１１】
2011109503.tif 000013